(57)【要約】      （修正有）【課題】デジタル放送番組の録画を可能とし、ユーザの利便性を向上させる。【解決手段】放送局１３０により放送された番組映像データを記憶して管理する映像記憶管理装置１２０と、放送された番組映像データの録画を行う映像録画装置１１０を有し、映像録画装置１１０は、映像記憶管理装置１２０に対して前記番組が放送されるのに先立ち特定の番組の録画要求を行い、録画要求時の映像録画装置１１０の位置を示す情報を映像記憶管理装置１２０に通知する手段を備え、前記映像記憶管理装置１２０が、録画要求が番組の放送に先立って行われ、且つ録画要求時における映像録画装置１１０の位置が放送エリア内にあることが認証された場合に番組映像データを提供する手段を備えた。【選択図】図１
2010141494.tif 000002
【特許請求の範囲】
【請求項１】
放送局により放送された番組映像データを記憶して管理する映像記憶管理装置と、当該映像記憶管理装置に通信回線を介して接続され前記映像記憶管理装置に記憶された番組映像データの録画を行う映像録画装置とを備えた映像データ蓄積システムであって、
前記映像録画装置は、
前記放送局により放送される前の特定の番組を指定し前記映像記憶管理装置に対して自己の位置を示す現在位置情報を提示すると共に前記特定の番組の録画要求を行う録画予約手段を備え、
前記映像記憶管理装置は、
前記録画要求を行った前記映像録画装置の位置が前記特定の番組の放送エリア内にあるか否かの認証判定を前記現在位置情報に基づき行う位置認証手段と、
前記録画要求が前記特定の番組の放送に先立って行われ且つ前記録画要求時における映像録画装置の位置が前記放送エリア内にあることが認証された場合に前記映像録画装置に対して前記特定の番組の番組映像データを提供する番組映像供給手段と、
を備えたことを特徴とする映像データ蓄積システム。
【請求項２】
前記請求項１に記載の映像データ蓄積システムにおいて、
前記映像録画装置は、
放送受信可能な放送局を予め設定されたインターネット回線を介して検索する放送局検索手段と、
前記前作結果として前記放送受信可能な放送局の番組リストを取得し、当該番組リストを介して前記特定の番組を指定する番組リスト指定手段と備え、
前記映像記憶管理装置の前記番組映像供給手段は、
前記番組リストを介して指定されたことにより前記録画要求時における映像録画装置の位置が前記放送エリア内にあるものと判定し、前記映像録画装置に対して前記特定の番組の番組映像データを提供するリスト指定供給機能を備えたことを特徴とする映像データ蓄積システム。
【請求項３】
前記請求項１に記載の映像データ蓄積システムにおいて、
前記録画要求は前記特定の番組の録画を行う開始日時および終了日時を示す録画開始日時および録画終了日時を含み、
前記映像記憶管理装置の前記位置認証手段は、
前記録画要求により指定された録画開始日時および録画終了日時に前記映像録画装置の位置が前記放送エリア内にあるか否かの認証判定を行う複数時位置認証機能を備えたことを特徴とする映像データ蓄積システム。
【請求項４】
前記請求項３に記載の映像データ蓄積システムにおいて、
前記映像記憶管理装置は、前記録画要求時、録画開始日時、および録画終了日時の時刻と前記録画要求により指定された番組の放送時間とを参照する録画時刻参照手段を備えたことを特徴とする映像データ蓄積システム。
【請求項５】
前記請求項１に記載の映像データ蓄積システムにおいて、
前記映像記憶管理装置は、前記録画要求時に前記放送エリア内にあったことが認証された前記映像録画装置でのみ再生可能に前記番組映像データの暗号化を行う暗号化手段を備え、
前記映像録画装置は、前記暗号化された番組映像データの復号化を行う復号化手段を備えたことを特徴とする映像データ蓄積システム。
【請求項６】
前記請求項５に記載の映像データ蓄積システムにおいて、
前記映像録画装置の前記復号化手段は、前記前記映像記憶管理装置から提供された番組映像データに当該番組映像データの録画許可回数が予め設定されている場合に、前記録画許可回数を解除する設定を行う録画許容回数解除機能を備えたことを特徴とする映像データ蓄積システム。
【請求項７】
放送局により放送された番組の番組映像データを記憶して管理する映像記憶管理装置と、前記映像記憶管理装置に対して前記番組映像データの録画要求を行う映像録画装置とを備えた映像データ蓄積システムにあって、前記放送された番組映像データの録画を行う映像データ蓄積方法であって、
前記放送局により放送される特定の番組を指定し、当該特定の番組が放送されるのに先立ち前記映像記憶管理装置に対して前記特定の番組の録画要求を行うと共に、
前記映像録画装置が存在する位置を示す現在位置情報を前記映像記憶管理装置に通知し、
前記録画要求が行われた位置が前記特定の番組の放送エリア内にあるか否かの認証判定を前記現在位置情報に基づき行い、
前記録画要求が前記特定の番組の放送に先立ち行われ且つ前記録画要求時における映像録画装置の位置が前記放送エリア内にあることが認証された場合に前記映像録画装置に対して前記特定の番組の番組映像データを提供し、
映像録画装置が前記提供された番組映像データを記憶することを特徴とする映像データ蓄積方法。
【請求項８】
放送局により放送された番組の番組映像データを記憶して管理する映像記憶管理装置と、前記映像記憶管理装置に対して前記番組映像データの録画要求を行う映像録画装置とを備えた映像データ蓄積システムにあって、前記放送された番組映像データの録画を行うための映像データ蓄積プログラムであって、
前記録画要求が行われた前記映像録画装置の位置が前記特定の番組の放送エリア内にあるか否かの認証判定を前記映像録画装置から通知された現在位置情報に基づき行う位置認証判定機能と、
前記録画要求が前記特定の番組の放送開始時刻に先立ち行われたか否かの判定を行う時刻判定機能と、且つ前記録画要求時における映像録画装置の位置が前記放送エリア内にあることが認証された場合に前記映像録画装置に対して前記特定の番組の番組映像データを送信する処理を行う映像データ送信処理機能とを、前記映像記憶管理装置に予め設けられたコンピュータにより実行させることを特徴とする映像データ蓄積プログラム。
【発明の詳細な説明】
【技術分野】
【０００１】
本発明は、デジタル放送システムに関し、特に視聴者が所望のデジタル放送番組を録画、視聴するためのネットワーク放送システムに関する。
【背景技術】
【０００２】
デジタル放送番組のＰＶＲ(Personal Video Recorder)が普及して久しい。しかしながら、一部海外のようにネットワーク型のnPVR(Networked Personal Video Recorder)は開始されてないどころか実現の目処さえ立っていない。
例えば、日本では放送業界の影響力が非常に強く、ＤＶＤレコーダやＨＤＤレコーダにおける番組のコピー回数に関しても、コピーワンスから利用者の権利をやや拡大したダビング１０の実現でさえ、技術的な問題はないにもかかわらず、延期されている。
【０００３】
また、これら視聴者（以下、ユーザ）の利便性が軽視された現状に加えて、若者を中心にテレビ離れが進行している。
更に、放送局の広告収入などが減少してきており、こうした状況は、２０１１年のアナログ放送終了によるデジタル放送一本化を機会にますます深刻化するとのアナリストレポートもあり、放送業界全体で大きく問題視されている。
【０００４】
そこで、ユーザと放送業界の権利を互いに拡大または縮小することなく、テレビ離れ抑止につながる、ユーザの利便性を向上させるデジタル放送番組の放送、受信システムが望まれている。
【０００５】
これに対して、番組に情報ＩＤを割当てることでユーザの所望する映像シーンを指定可能に設定し、シーンの条件を指定することにより映像の再視聴、録画予約を可能とする関連技術が開示されている(特許文献１)。
【０００６】
【特許文献１】特開２００３−２３４９８９
【発明の開示】
【発明が解決しようとする課題】
【０００７】
しかしながら、上記特許文献１に開示された関連技術は、放送局の放送エリア圏外でもユーザは放送番組の予約録画、再生、複製等が可能であることから、地方局における放送権や国外放送契約に影響が及び、また、著作権保護の観点から、例えば現状の地上デジタル放送システムに適用することが困難となってしまう不都合がある。
また、現状の地上デジタル放送システムに適用した場合は、放送内容のパッケージソフトやレンタル業界の売り上げが減少するという不都合が生じ得る。
【０００８】
［発明の目的］
本発明は、上記関連技術の有する不都合を改善し、現状のデジタル放送番組の録画および再生方式のフレームワークを変えることなく、デジタル放送番組の録画および再生を容易に行うことを可能とし、ユーザの利便性を向上させる映像データ蓄積システム、映像データ蓄積方法、および映像データ蓄積プログラムを提供することを、その目的とする。
【課題を解決するための手段】
【０００９】
上記目的を達成するために、本発明に係る映像データ蓄積システムは、放送局により放送された番組映像データを記憶して管理する映像記憶管理装置と、当該映像記憶管理装置に通信回線を介して接続され前記映像記憶管理装置に記憶された番組映像データの録画を行う映像録画装置とを備えた映像データ蓄積システムであって、前記映像録画装置は、前記放送局により放送される特定の番組を指定し、前記映像記憶管理装置に対して前記特定の番組が放送されるのに先立ち前記特定の番組の録画要求を行うと共に、前記録画要求時に前記映像録画装置が存在する位置を示す現在位置情報を前記映像記憶管理装置に通知する録画予約手段を備え、前記映像記憶管理装置は、前記録画要求を行った前記映像録画装置の位置が前記特定の番組の放送エリア内にあるか否かの認証判定を前記現在位置情報に基づき行う位置認証手段と、前記録画要求が前記特定の番組の放送に先立って行われ且つ前記録画要求時における映像録画装置の位置が前記放送エリア内にあることが認証された場合に前記映像録画装置に対して前記特定の番組の番組映像データを提供する番組映像供給手段とを備えた構成をとっている。
【００１０】
又、本発明にかかる映像データ蓄積方法は、放送局により放送された番組の番組映像データを記憶して管理する映像記憶管理装置と、前記映像記憶管理装置に対して前記番組映像データの録画要求を行う映像録画装置とを備えた映像データ蓄積システムにあって、前記放送された番組映像データの録画を行う映像データ蓄積方法であって、前記放送局により放送される特定の番組を指定し、当該特定の番組が放送されるのに先立ち前記映像記憶管理装置に対して前記特定の番組の録画要求を行うと共に、前記映像録画装置が存在する位置を示す現在位置情報を前記映像記憶管理装置に通知し、前記録画要求が行われた位置が前記特定の番組の放送エリア内にあるか否かの認証判定を前記現在位置情報に基づき行い、前記録画要求が前記特定の番組の放送に先立ち行われ且つ前記録画要求時における映像録画装置の位置が前記放送エリア内にあることが認証された場合に前記映像録画装置に対して前記特定の番組の番組映像データを提供し、映像録画装置が前記提供された番組映像データを記憶することを特徴としている。
【００１１】
更に、本発明にかかる映像データ蓄積プログラムは、放送局により放送された番組の番組映像データを記憶して管理する映像記憶管理装置と、前記映像記憶管理装置に対して前記番組映像データの録画要求を行う映像録画装置とを備えた映像データ蓄積システムにあって、前記放送された番組映像データの録画を行うための映像データ蓄積プログラムであって、前記録画要求が行われた前記映像録画装置の位置が前記特定の番組の放送エリア内にあるか否かの認証判定を前記映像録画装置から通知された現在位置情報に基づき行う位置認証判定機能と、前記録画要求が前記特定の番組の放送開始時刻に先立ち行われたか否かの判定を行う時刻判定機能と、且つ前記録画要求時における映像録画装置の位置が前記放送エリア内にあることが認証された場合に前記映像録画装置に対して前記特定の番組の番組映像データを送信する処理を行う映像データ送信処理機能とを、前記映像記憶管理装置のコンピュータに実行させることを特徴としている。
【発明の効果】
【００１２】
本発明は、以上のように構成され機能するので、これによると、番組が放送されるのに先立ち前記特定の番組の録画要求を行うと共に、前記録画要求時に存在する位置を示す現在位置情報を通知する録画予約手段を有する映像録画装置と、録画要求が録画対象番組の放送に先立って行われ、録画要求時における映像録画装置の位置が前記放送エリア内にあることが認証された場合に前記映像録画装置に対して番組映像データを提供する手段を備えた映像記憶管理装置を備えた構成としたことにより、ユーザがデジタル放送番組の録画および再生を容易に行うことができる映像データ蓄積システム、映像データ蓄積方法、および映像データ蓄積プログラムを提供することができる。
【発明を実施するための最良の形態】
【００１３】
［実施形態］
次に、本発明の実施形態について、その基本的構成内容を説明する。
【００１４】
本実施形態の映像データ蓄積システムは、図１に示すように、番組レコーダ１１０と、この番組レコーダ１１０にインターネットなどのネットワークを介して接続された放送後番組データセンター(以下「放送後番組ＤＣ」という)120と、この放送後番組ＤＣにインターネット回線などのネットワークを介して接続され番組の提供を行う放送局１３０により構成されるｎＰＶＲ(Networked Private Video Recorder)システムである。
【００１５】
番組レコーダ１１０は、インターネットなどのネットワーク回線を介して放送後番組ＤＣ１２０に接続されると共に、例えば家庭内に予め設置されたＴＶやＤＶＤなどに接続され、放送後番組ＤＣ(映像記憶管理装置)１２０から提供された放送後番組映像(映像データ)等をＴＶに出力する装置である。
番組レコーダ(映像録画装置)１１０は、図２に示すように、ネットワークに接続され、このネットワークを介して映像データ(放送後番組)などの送受信を行うネットワーク(ＮＷ)装置１１８と、放送後番組ＤＣ１２０に対して番組の録画予約を行う録画番組データ管理装置１１１と、
ユーザからの操作要求を受け付け録画番組データ管理装置に通知するユーザインタフェース装置１１７と、アンテナを介して受信される放送中の番組映像をアンテナを介して受信し、ＡＶ装置１１６で出力表示されるデータ形式に変換するデジタル放送チューナ１１５を備えた構成となっている。
【００１６】
尚、放送前番組データ管理装置１１１は、番組レコーダ１１０内に予め設けられた、ＣＰＵやメモリなどを有するコンピュータにより行われる処理動作により実現される。また、ＮＷ装置１１８は、具体的にはモデムなどのネットワークインタフェースに相当し、ユーザインタフェース装置は、リモートコントローラ、マウス、キーボードなどに相当する。
【００１７】
録画番組データ管理装置１１１は、放送局１３０によって放送中の番組映像データを、デジタル放送チューナ１１５を介して受け取りＡＶ装置１１６に出力する。
また、録画番組データ管理装置１１１は、ユーザインタフェース装置１１７を介してユーザからの番組予約に係る要求を受け放送局名、予約開始日時、予約終了日時、録画開始日時、録画終了日時などが記載された録画番組メタデータ１１３を設定し記憶する録画番組リスト１１２を備えている。
また、録画番組データ管理装置１１１は、ユーザから新たに番組予約の内容や録画放送された番組のメタデータが送り込まれた場合は、このメタデータを上記放送後番組リストに追加する。
【００１８】
録画番組データ管理装置１１１は、例えば、インターネット回線を介して番組表を受信し、この番組表をテレビ画面に表示するＥＰＧ(Electronic Program Guide)を利用するＥＰＧ機能１１４を有し、このＥＰＧ機能により、番組レコーダ１１０の稼動位置で、視聴および録画可能な放送局名一覧(放送局リスト)を取得する放送局リスト取得機能(手段２０１)を有する。
尚、上記ＥＰＧ機能１１４により取得される番組表は、番組レコーダ１１０の稼動位置、または設置位置で視聴可能な番組リストであって、取得された番組表(ＥＰＧ番組表)で表示された番組(特定の番組)を指定することにより、放送後番組ＤＣ１２０に対して録画予約を行う。
【００１９】
ここでは、録画番組データ管理装置１１１(番組レコーダ１１０)は、放送受信可能な番組が記載されたＥＰＧ番組表を介して録画予約を行うため、番組レコーダ１１０の現在位置は、録画予約された番組の放送エリア内にあるものと判定される。
尚、本実施形態では、番組レコーダ１１０はＥＰＧ機能を利用することにより、自己の位置を示す現在位置が録画予約する番組の放送エリア内にあることを通知する手法をとっているが、例えば、ＧＰＳなどを利用して取得した番組レコーダ１１０の位置情報や番組レコーダ１１０が接続されたネットワーク基地局などの位置情報を放送後番組ＤＣ１２０に送信することにより、番組レコーダ１１０の現在位置が録画予約対象番組の放送エリア内にあるか否かの判定が行われるようにしてもよい。
【００２０】
また、録画番組データ管理装置１１１は、放送局リスト取得機能により取得した放送局リストを含む番組録画メニューをユーザに提供する録画メニュー提供機能(手段２０２)と、ユーザから送り込まれた放送局名、予約開始日時、および予約終了日時を録画リストに追加登録する録画リスト追加機能(手段２０３)と、録画リストに登録された予約開始日時を検知する開始日時検知機能(手段２０４)とを備えている。
【００２１】
また、録画番組データ管理装置１１１は、録画リストに登録された放送局の放送が、予約を行う時点(予約開始日時)で受信可能な状態であるか否かを、例えばＥＰＧ機能１１４を利用して、インターネットにアクセスを行い確認すると共に、予約開始日時における受信状態を、予め設定された受信エリア認証フラグに記録する開始受信状態確認機能(手段２０５)と、予約リストに録画開始日時を追加する録画開始記録機能(手段２０６)を有する。
【００２２】
尚、上記受信エリア認証フラグは、録画番組データ管理装置１１１内のメモリ領域上に放送局の受信状態を記録するために予め設定された記憶領域を示す。
【００２３】
更に、録画番組データ管理装置１１１は、録画リストに登録された予約終了日時を検知する予約終了日時検知機能(手段２０７)と、録画リストに登録された放送局の放送が、予め登録された予約終了日時の時点で受信可能な状態であるか否かを、例えばＥＰＧ機能を利用して、インターネットにアクセスを行い確認すると共に、予約終了日時における受信状態を、予め設定された受信エリア認証フラグに記録する終了受信状態確認機能(手段２０８)と、予約リストに録画終了日時を追加する録画終了記録機能を有する(手段２０９)。
【００２４】
また、録画番組データ管理装置１１１は、ユーザからの要求に応じて録画番組リストをユーザに提供する録画番組リスト提供機能(手段２１０)と、ユーザから指定された録画番組の録画番組メタデータを放送後番組ＤＣに送信する録画番組メタデータ送信機能(手段２１１)を備えている。
【００２５】
更に、録画番組データ管理装置１１１は、放送後番組ＤＣ１２０から送り込まれた暗号化済み映像データを予め設定された手法により復号化し復号化済み映像データを生成する復号化機能１１９と、復号化済み映像データをＡＶ装置１１６に送り再生を行う映像データ再生制御機能(手段２１３)を備えている。
尚、復号化機能１１９は、放送後番組DC１２０から提供された暗号化済み映像データに録画許可回数が予め設定されている場合には、この録画許可回数を解除するように設定されていてもよい(録画許容回数解除機能)。
【００２６】
放送後番組データセンタ(ＤＣ)１２０は、インターネットなどのネットワーク回線を介して番組レコーダ１１０、および放送局１３０に接続され、放送後の番組映像データの蓄積を行うサーバ装置である。
放送後番組ＤＣ１２０は、図３に示すように、ネットワークに接続されこのネットワークを介して映像データなどの送受信を行うネットワーク(ＮＷ)装置１２６と、放送局１３０から送り込まれる放送後の番組データを取得し管理する放送後番組データ管理装置１２１と、放送前番組データ管理装置１２１からの要求に応じて放送後番組映像データ蓄積装置１２５から要求に応じた映像データ(放送内容、放送番組)を取得する映像データ入出力手段１２４と、放送局１３０から送り込まれた放送後の番組映像データを記憶する放送後番組映像データ蓄積装置１２５を備えた構成となっている。
【００２７】
尚、放送前番組データ管理装置１２１、および映像データ入出力手段１２４は、サーバマシンとしての放送後番組１２０内に予め設けられた、ＣＰＵやメモリなどを有するコンピュータによって行われる処理動作により実現される。また、ＮＷ装置１２６は、具体的にはモデムなどのネットワークインタフェースに相当する。
【００２８】
放送後番組データ管理装置１２１は、放送局１３０によって放送された番組(放送後番組：映像データ)それぞれに対応した放送局名、放送時間帯、番組名などが記載された放送後番組メタデータ１２３を記憶する放送後番組リスト１２２を備えている。
また、放送後番組データ管理装置１２１は、新たに放送された番組のメタデータが送り込まれた場合は、このメタデータを上記放送後番組リストに追加する。
【００２９】
更に、放送後番組データ管理装置１２１は、放送後番組として放送局１３０から送り込まれた映像データを映像データ入出力手段１２４を介して放送後番組映像データ蓄積装置に格納する映像データ格納機能(手段３０１)を備えている。
尚、この放送後番組リストは、放送後番組データ管理装置１２１内に予め設けられたメモリやＨＤＤ等の記憶手段上に設定されているものとする。
【００３０】
又、放送後番組データ管理装置１２１は、番組レコーダ１１０から送り込まれた録画番組メタデータの内容に基づき映像データの検索および検出を行う映像データ検出機能と、検出した映像データ(放送後番組)の暗号化を行う暗号化機能１２９を備えている。
尚、暗号化機能１２９は、上記暗号化によって、録画要求時に放送エリア内に存在したことが認証された番組レコーダ１１０上でのみ復号化および再生可能に、放送後番組(映像データ)を暗号化するものとする。
【００３１】
更に、放送後番組データ管理装置１２１は、暗号化機能１２９により生成した暗号化済み映像データを番組レコーダ１１０に送信する暗号化データ送信機能(手段３０４)を備えている。
【００３２】
放送局１３０は、図４に示すように、インターネットなどのネットワークに接続され、ネットワークを介して映像データなどの送受信を行うネットワーク(ＮＷ)装置１３６と、放送前の番組データを管理する放送前番組データ管理装置１３１と、放送前番組データ管理装置１３１からの要求に応じて放送前番組映像データ蓄積装置１３５から、要求に応じた映像データ(放送内容、放送番組)を取得する映像データ入出力手段１３４と、放送前の番組映像データを記憶する放送前番組映像データ蓄積装置１３５とを備えた構成となっている。
【００３３】
尚、放送前番組データ管理装置１３１、および映像データ入出力手段１３４は、放送局１３０内に予め設けられた、ＣＰＵやメモリなどを有するコンピュータによって行われる処理動作により実現される。また、ＮＷ装置１３６は、具体的にはモデムなどのネットワークインタフェースに相当する。
【００３４】
放送局１３０の放送前番組データ管理装置１３１は、放送前の番組それぞれに対応して放送局名、放送時間帯、番組名などが記載された放送前番組データが記載された放送前番組メタデータ１３３を記憶する放送前番組リスト１３２を備えている。
尚、この放送前番組リストは、放送前番組データ管理装置内に予め設けられたメモリやＨＤＤ等の記憶手段上に設定されているものとする。
【００３５】
また、放送前番組データ管理装置１３１は、ＮＷ装置１３６を介して送り込まれた要求に応じて放送前番組リスト１３２から要求に対応した放送前番組データ１３３を読出すと共に、ＮＷ装置１３６を介して読み出した放送前番組メタデータを放送後番組ＤＣ１２０に送信する放送前番組メタデータ送信手段(手段４１０)と、映像データ入出力手段１３４を介して放送前番組映像データ蓄積装置１３５から映像データ(放送前番組データ)を読出し、要求に応じて放送後番組ＤＣ１２０に送信する処理を行う蓄積データ送信手段(手段４１０)を備えている。
【００３６】
更に、放送前番組データ管理装置１３２は、映像データ入出力手段１３４を介して放送前番組映像データ蓄積装置１３５から、映像データを読出し放送後番組ＤＣ１２０に提供する、放送前番組送信手段(手段４０１)を備えている。
【００３７】
以上のように構成することにより、本実施形態で示す映像データ蓄積システムは、ネットワーク型のｎＰＶＲを実現することができる。
現状の、各ＰＶＲごとに映像データが暗号化されているため、ＰＶＲ間の重複排除はできないが、本実施形態では、放送後番組ＤＣ１２０を介して接続された各パーソナルビデオレコーダ(番組レコーダ１１０に相当)間に存在する放送映像データの重複排除を行うことが可能となる。
【００３８】
また、ＰＶＲによる録画可能時間が実質無限となり、ユーザの利便性が向上する。
更に、番組映像データの冗長化が容易となり、ユーザの利便性が向上する。例えば、ＰＶＲ内に予め設けられたＨＤＤがクラッシュした場合等に生じ得る、録画番組消失のリスクが軽減される。
【００３９】
［実施形態の動作説明］
次に、本実施形態における全体的な動作について、説明する。
まず、映像録画装置(番組レコーダ１１０)は、放送局１３０により放送される特定の番組を指定し、この特定の番組が放送されるのに先立ち映像記憶管理装置１２０に対して特定の番組の録画要求を行い、番組レコーダ１１０自身が存在する位置を示す現在位置情報を映像記憶管理装置(放送後DC１２０)に通知する。
【００４０】
次いで、映像記憶管理装置(放送後DC１２０)は、録画要求が行われた位置が、特定の番組の放送エリア内にあるか否かの認証判定を現在位置情報に基づき行い(位置認証判定機能)、録画要求が特定の番組の放送に先立ち行われ(時刻判定機能)、且つ録画要求時における映像録画装置(番組レコーダ１１０)の位置が放送エリア内にあることが認証された場合に、映像録画装置(番組レコーダ１１０)に対して特定の番組の番組映像データを提供し(映像データ送信処理機能)、映像録画装置(番組レコーダ１１０)が、提供された番組映像データを記憶する。
【００４１】
尚、録画要求が行われた番組レコーダ１１０の位置が、特定の番組の放送エリア内にあるか否かの認証判定を、番組レコーダ１１０の現在位置情報に基づき行う位置認証判定機能と、録画要求が特定の番組の放送開始時刻に先立ち行われたか否かの判定を行う時刻判定機能と、録画要求時における映像録画装置の位置が、放送エリア内にあることが認証された場合に、番組レコーダ１１０に対して特定の番組の番組映像データを送信する処理を行う映像データ送信処理機能について、その実行内容をプログラム化し、放送後DC１２０内に設けられたコンピュータに実行させる構成としてもよい。
【００４２】
次に、番組レコーダ１１０を利用して行う録画予約動作について、図５のシーケンスチャートに基づき説明する。
【００４３】
［録画予約］
まず、ユーザが録画番組データ管理装置１１１上に対して番組録画メニューを要求する(ステップＳ５０１)。次いで、録画番組データ管理装置１１１(手段２０１)が、ＥＰＧ機能を利用してインターネットを介して、録画可能な放送局名一覧(放送局リスト)を取得する(ステップＳ５０２)。
次いで、録画番組データ管理装置１１１(手段２０２)が、取得した放送局リストを含む番組録画メニューをユーザに送信する(ステップＳ５０３)。
予め録画番組データ管理装置１１１に併設されたディスプレイ装置に番組録画メニューを出力表示する設定であってもよい。
【００４４】
ユーザは、送信または出力表示された番組録画メニューを介して、放送局名、予約開始日時、および予約終了日時を指定し録画番組データ管理装置１１１に送信する(ステップＳ５０４)。
次いで、録画番組データ管理装置１１１(手段２０３)が、ユーザから送り込まれた放送局名、予約開始日時、および予約終了日時を録画リストに追加登録する(ステップＳ５０５)。
【００４５】
次に、本実施形態における番組レコーダ１１０における録画番組データ管理装置１１１の番組録画開始動作について、図６のシーケンスチャートに基づき説明する。
【００４６】
まず、録画番組データ管理装置１１１(手段２０４)が、録画リストに登録された予約開始日時を検知する(ステップＳ６０１)。
次いで、録画番組データ管理装置１１１(手段２０５)が、検知された録画リストの放送局名がこの時点(予約開始日時)で受信可能な状態であるか否かを、ＥＰＧ機能を利用してインターネットにアクセスして確認すると共に、その結果(受信可能状態判定結果)を受信エリア認証フラグに記録する(ステップＳ６０２)。
次に、録画番組データ管理装置１１１(手段２０６)が、録画リストに録画開始日時を追加する(ステップＳ６０３)。
これにより、録画リストに追加設定された録画開始日時に予め設定された放送局の録画が開始される。
【００４７】
次に、本実施形態における番組レコーダ１１０における録画番組データ管理装置１１１の番組録画終了動作について、図６のシーケンスチャートに基づき説明する。
【００４８】
まず、録画番組データ管理装置１１１(手段２０７)が、予め設定された予約終了日時を検知する(ステップＳ６０１)。
次いで、録画番組データ管理装置１１１(手段２０８)が、検知された録画リストの放送局名が、この時点で受信可能な状態であるか否かを、ＥＰＧ機能を利用してインターネットにアクセスして確認すると共に、その結果(受信可能状態判定結果を受信エリア認証フラグ)に記録する(ステップＳ６０２)。
次に、録画番組データ管理装置１１１(手段２０９)が、録画リストに録画終了日時を追加する(ステップＳ６０３)。
これにより、録画リストに追加設定された録画開始日時に予め設定された放送局の録画が終了する。
【００４９】
放送後番組ＤＣ１２０と放送局１３０との間で行われる放送番組(映像データ)のアーカイブ動作について、図８のシーケンスチャートに基づき説明する。
【００５０】
放送局１３０の放送番組データ管理装置１３１(手段４０１)は、放送後番組ＤＣ１２０の放送後番組データ管理装置１２１に放送局名、放送時間帯、番組名、および映像データを送信する(ステップＳ８０１)。
放送後番組データ管理装置１２１(手段３０１)が、放送局１３０から送り込まれた放送局名、放送時間帯、番組名を放送後番組リストに追加すると共に、放送データを放送後映像データ蓄積装置１２５に記憶する(ステップＳ８０２)。
【００５１】
次に、本実施形態における録画された番組の再生動作について、図９のシーケンスチャートに基づき説明する。
【００５２】
［録画番組再生］
まず、ユーザが番組レコーダ１１０に対して録画番組リストを要求する(ステップＳ９０１)。録画番組データ管理装置１１１(手段２１０)が、要求に応じて録画番組リストをユーザに送信する(ステップＳ９０２)。
【００５３】
ユーザは、手段２１０から送信された録画番組リストの中から特定の録画番組を選択して番組レコーダ１１０に送信する(ステップＳ９０３)。
次いで、録画番組データ管理装置１１１(手段２１１)が、ユーザにより選択された録画番組のメタデータを、放送後番組ＤＣ１２０に送信する(ステップＳ９０４)。
【００５４】
放送後番組データ管理装置１２１(手段３０２)は、録画番組メタデータに基づき映像データを検出する(ステップＳ９０５)と共に、暗号化機能(手段３０３)により、検出した映像データの暗号化を行う(ステップＳ９０６)。
【００５５】
次いで、放送後番組データ管理装置１２１(手段３０４)が、暗号化された映像データを番組レコーダ１１０に送信する(ステップＳ９０７)。
番組レコーダ１１０の録画番組データ管理装置１１１(手段２１２)が、放送後番組ＤＣ１２０から送り込まれた映像データを、復号化する(ステップＳ９０８：復号化工程)。
【００５６】
次いで、録画番組データ管理装置１１１(手段２１３)が、ＡＶ装置により複合化された映像データ(番組)の再生を行う(ステップＳ９０９)。
【００５７】
以上のように、本実施形態にかかる映像データ蓄積システムでは、放送局１３０の放送エリア圏内でのみ、ユーザによる番組録画、および番組再生を許容することにより、地方局保護や国外放送契約などへの影響を抑制しつつ、且つ日本国内におけるｎＰＶＲの実現を可能とすることができる。
【００５８】
また、本実施形態では、放送前に録画予約されていなかった番組を、ユーザ側で再生できない構成としたことにより、ｎＰＶＲの実現された場合におけるパッケージソフトの売り上げやレンタル業界への影響を、最低限に抑制することができる。
【産業上の利用可能性】
【００５９】
本発明は、ワンセグチューナー内蔵型の携帯端末などへの映像データ配信システムや、放送番組の綜録画時間に応じた課金システム、番組映像のコピーに対する課金システム、録画番組リストの課金システムなどに適用することができる。
また、各ユーザが録画した番組内容に基づき、ユーザそれぞれの嗜好にあった商品のコマーシャルが差し込まれた番組映像を、各ユーザに配信する手法などが考えられる。
【図面の簡単な説明】
【００６０】
【図１】本発明による映像データ蓄積システム全体の構成内容を示す概略ブロック図である。
【図２】図１に開示した映像データ蓄積システムにおける番組レコーダの内部構成の一例を示す概略ブロック図である。
【図３】図１に開示した映像データ蓄積システムにおける放送後番組ＤＣの内部構成の一例を示す概略ブロック図である。
【図４】図１に開示した映像データ蓄積システムにおける放送局の内部構成の一例を示す概略ブロック図である。
【図５】図１に開示した映像データ蓄積システムにおける番組録画予約を行う動作を示すシーケンスチャートである。
【図６】図１に開示した映像データ蓄積システムにおける番組レコーダが録画開始を行う動作を示すシーケンスチャートである。
【図７】図１に開示した映像データ蓄積システムにおける番組レコーダが録画終了を行う動作を示すシーケンスチャートである。
【図８】図１に開示した映像データ蓄積システムにおける放送後番組ＤＣが番組映像をアーカイブする動作を示すシーケンスチャートである。
【図９】図１に開示した映像データ蓄積システムで、録画予約された番組映像の再生を行う動作を示すシーケンスチャートである。
【符号の説明】
【００６１】
１００  映像データ蓄積システム
１１０  番組レコーダ
１１１  録画番組データ管理装置
１１２  録画番組リスト
１１３  録画番組メタデータ
１１４  ＥＰＧ機能
１１５  デジタル放送チューナ
１１６  ＡＶ装置
１１７  ユーザインタフェース装置
１１８，１２６，１３６  ネットワーク(ＮＷ)装置
１１９  復号化機能
１２０  放送後番組データセンタ(ＤＣ)
１２１  放送後番組データ管理装置
１２２  放送後番組リスト
１２３  放送後番組メタデータ
１２４  映像データ入出力手段
１２５  放送後番組映像データ蓄積装置
１２９  暗号化機能
１３０  放送局
１３１  放送前番組データ管理装置
１３２  放送前番組リスト
１３３  放送前番組メタデータ
１３４  映像データ入出力手段
１３５  放送前番組映像データ蓄積装置
【図１】
2010141494.tif 000003
【図２】
2010141494.tif 000004
【図３】
2010141494.tif 000005
【図４】
2010141494.tif 000006
【図５】
2010141494.tif 000007
【図６】
2010141494.tif 000008
【図７】
2010141494.tif 000009
【図８】
2010141494.tif 000010
【図９】
2010141494.tif 000011